(57)【要約】本無線通信システムは、複数のアンテナを備える一次局から少なくとも１つのアンテナを備える二次局へのデータパケット（３０２）の送信のための通信チャネルを有している。該チャネルは複数のパスを有し、上記一次局は複数のパケットを略同時に送信する。これら複数のパケットの各々は、例えば各パケットが異なるアンテナ又はアンテナビームを介して送信されるように構成することにより、前記複数のパスのうちの異なるサブセットを介して送信される。上記二次局は、前記複数のデータパケットを受信し、各パケットが正しく受信されたかを判定し、前記複数のパケットの各々に関して該判定を上記一次局に対して（典型的には、肯定確認応答（３０４）又は否定確認応答（３０６）として）通知する。該通知は、例えば各肯定確認応答又は否定確認応答を利用可能なアップリンクパスの異なるサブセットを介して送信する等の、如何なる適宜の手段によるものでもよい。
2004520750.tif 000002
【特許請求の範囲】
【請求項１】
複数のアンテナを備える一次局と少なくとも１つのアンテナを備える二次局との間に複数のパスを持つ通信チャネルを有するような無線通信システムにおいて、前記一次局は前記二次局に複数のデータパケットを略同時に送信する手段を有し、前記パケットの各々は前記複数のパスのうちの異なるサブセットを介して送信され、前記二次局は前記複数のデータパケットを受信し、前記パケットの各々が正しく受信されたかを判定し、且つ、前記複数のパケットの各々に関して該判定を前記一次局に通知する手段を有していることを特徴とする無線通信システム。
【請求項２】
複数のアンテナを備える一次局であって、該一次局と少なくとも１つのアンテナを備える二次局との間に複数のパスを持つような通信チャネルを有する無線通信システムに使用するための一次局において、前記二次局に複数のデータパケットを各パケットが前記複数のパスのうちの異なるサブセットを介して送信されるようにして略同時に送信すると共に、前記二次局から前記各パケットが正しく受信されたかについての判定を受信する手段が設けられていることを特徴とする一次局。
【請求項３】
請求項２に記載の一次局において、前記各データパケットを前記複数のアンテナのうちの１つにマッピングする手段が設けられていることを特徴とする一次局。
【請求項４】
請求項２に記載の一次局において、前記各データパケットを対応するアンテナビームにマッピングする加重手段が設けられていることを特徴とする一次局。
【請求項５】
請求項２ないし４の何れか一項に記載の一次局において、データパケットに関する送信パラメータを該パケットが送信される前記パスのサブセットに依存して変化させる手段が設けられていることを特徴とする一次局。
【請求項６】
請求項５に記載の一次局において、前記変化されるパラメータが、変調方法、符号化方法及び送信出力のレベルから選択されることを特徴とする一次局。
【請求項７】
請求項５又は請求項６に記載の一次局において、前記パスの各サブセットの前記送信出力を独立に調整する閉ループ出力制御手段が設けられていることを特徴とする一次局。
【請求項８】
請求項２ないし７の何れか一項に記載の一次局において、前記二次局により正しく受信されなかったデータパケットを、該データパケットの最初の送信に使用された前記複数のパスのサブセットとは別のサブセットを介して再送信する手段が設けられていることを特徴とする一次局。
【請求項９】
少なくとも１つのアンテナを備える二次局であって、複数のアンテナを備える一次局と該二次局との間に複数のパスを持つような通信チャネルを有する無線通信システムに使用するための二次局において、前記一次局により各パケットが前記複数のパスのうちの異なるサブセットを介して送信されるようにして略同時に送信された複数のデータパケットを受信すると共に、前記各パケットが正しく受信されたかを判定し、且つ、この判定を前記複数のパケットの各々に関して前記一次局に通知する手段が設けられていることを特徴とする二次局。
【請求項１０】
請求項９に記載の二次局において、当該二次局と前記一次局との間の通信チャネルが複数のパスを有し、前記正しい受信の判定を通知する手段が前記略同時に送信されたデータパケットの各々に対応する確認応答を略同時に送信するような手段を有し、前記各確認応答が前記複数のパスのうちの異なるサブセットを介して送信されることを特徴とする二次局。
【請求項１１】
請求項９又は請求項１０に記載の二次局において、前記一次局に対してチャネル品質帰還情報を通知する手段が設けられ、該情報が前記データパケットを送信するために使用されたパスのサブセットの各々に関するものであることを特徴とする二次局。
【請求項１２】
請求項９ないし１１の何れか一項に記載の二次局において、前記一次局に対して、当該二次局が同時に受信又は処理することができるような、同一の無線インターフェースリソースを用いて前記複数のパスのサブセットを介して送信される同時的なデータストリームの数を通知する手段が設けられていることを特徴とする二次局。
【請求項１３】
請求項１２に記載の二次局において、前記システムが符号分割多重アクセスプロトコルに従って動作し、前記無線インターフェースリソースがチャネライゼーション及び拡散コードを有していることを特徴とする二次局。
【請求項１４】
複数のアンテナを備える一次局と少なくとも１つのアンテナを備える二次局との間に複数のパスを持つ通信チャネルを有するような無線通信システムを動作させる方法において、前記一次局は前記二次局に複数のデータパケットを略同時に送信し、前記パケットの各々は前記複数のパスのうちの異なるサブセットを介して送信され、前記二次局は前記複数のデータパケットを受信し、前記パケットの各々が正しく受信されたかを判定し、且つ、前記複数のパケットの各々に関して該判定を前記一次局に通知することを特徴とする方法。
【発明の詳細な説明】
【０００１】
【発明の属する技術分野】
本発明は、無線通信システムに関すると共に、更に、斯様なシステムに使用する一次及び二次局及び斯様なシステムを動作させる方法にも関する。本明細書は、システムを世界移動体通信システム（ＵＭＴＳ）を特に参照して説明するが、斯かる技術は他の移動体無線システムにも等しく適用可能であると理解されるべきである。
【０００２】
【背景技術】
無線通信システムにおいては、無線信号は典型的には送信機から受信機へと複数のパスを介して進行し、各パスは１以上の散乱体からの反射を含む。斯かるパスからの受信信号は受信機において建設的に又は破壊的に干渉する（結果として、位置に依存したフェージングが生じる）。更に、上記パス、従って信号が送信機から受信機へ進行するのに掛かる時間、の異なる長さはシンボル間干渉を発生し得る。
【０００３】
マルチパス伝播により生じる上記問題は、複数のパスの幾つか又は全てが解消されるのを可能にするような、受信機における複数アンテナの使用（受信ダイバーシティ）により軽減することができることは良く知られている。効果的なダイバーシティのためには、個々のアンテナにより受信される信号が低い相互相関を有することが必要である。典型的には、これはアンテナを波長のかなりの割合により分離することにより保証されるが、出願人の国際特許出願公開第ＷＯ０１／７１８４３号（出願人整理番号：ＰＨＧＢ００００３３）に開示された技術を用いることにより接近して隔てられたアンテナを使用することもできる。実質的に相関のない信号の使用を保証することにより、如何なる所与の時間における上記アンテナの２以上において破壊的干渉が発生する確率は最小化される。
【０００４】
同様の改善は、送信機における複数アンテナの使用によっても達成することができる（送信ダイバーシティ）。ダイバーシティ技術は、多入力多出力（ＭＩＭＯ）システムとして知られているように、送信機及び受信機の両者における複数アンテナの使用に一般化することができ、斯かるシステムは一方の側のダイバーシティ構成よりも更にシステム利得を上昇させることができる。更なる発展として、複数アンテナの存在は空間的多重化を可能にし、これにより送信用のデータストリームは複数の副ストリームに分割され、これら副ストリームの各々が多数の異なるパスを介して伝送される。斯様なシステムの一例は米国特許第６，０６７，２９０号に記載され、ブラストシステムとして知られている他の例は、１９９８年９月２９日〜１０月２日にイタリア、ピサで開催された信号、システム及び電子回路に関する１９９８年ＵＲＳＩ国際シンポジウムの公開論文集におけるＰ． Ｗ． Ｗｏｌｎｉａｎｓｋｙ 他による論文“Ｖ−ＢＬＡＳＴ：富散乱無線チャネルを介して非常に高いデータレートを実現するアーキテクチャ”に記載されている。
【０００５】
ＭＩＭＯシステムから達成され得る性能の上昇は、或るエラー率において総合データレートを上昇させ、又は或るデータレートにおいてエラー率を低減させ、又はこれら２つの組合せを得るために使用することができる。ＭＩＭＯシステムは、或るデータレート及びエラー率に対する全送信エネルギ又は出力（ｐｏｗｅｒ）を低減するように制御することができる。
【０００６】
ＭＩＭＯ技術を適用することができる１つの領域は、現在ＵＭＴＳのために開発されており、移動局に対する４Ｍｂｐｓまでのパケットデータの伝送を容易化することができるような高速ダウンリンクパケットアクセス（ＨＳＤＰＡ）方法である。ＨＳＤＰＡの１つの提案された実施例においては、別個のデータストリームが基地局（ＢＳ）における各アンテナから送出され、これらデータストリームは、原理的に、少なくともデータストリームが存在する数分だけのアンテナを有する移動局（ＭＳ）により受信及び復号することができる。各データパケットの正しい配信を保証するために、ＡＲＱ（自動反復要求）法が必要とされる。何故なら、劣ったチャネル条件下での低下されたシステムスループット（複数再送信による）よりも、正確なデータ伝送の方が重要であると考えられるからである。
【０００７】
パケットデータ送信に対するＭＩＭＯシステムの使用に伴う問題は、通信システムに対する異なる無線回線品質の影響である。例えば、データストリームの幾つかが非常に劣る品質の無線回線を有するかも知れず、全てのデータが合成されると、これが他のリンクの品質も劣化させることになる。
【０００８】
【発明の開示】
本発明の１つの目的は、改善された性能を有するＭＩＭＯシステムを提供することにある。
【０００９】
本発明第１態様によれば、複数のアンテナを備える一次局と少なくとも１つのアンテナを備える二次局との間に複数のパスを持つ通信チャネルを有するような無線通信システムであって、前記一次局は前記二次局に複数のデータパケットを略同時に送信する手段を有し、前記パケットの各々は前記複数のパスのうちの異なるサブセットを介して送信され、前記二次局は、前記複数のデータパケットを受信し、前記パケットの各々が正しく受信されたかを判定し、且つ、前記複数のパケットの各々に関して該判定を前記一次局に通知する手段を有しているような無線通信システムが提供される。
【００１０】
複数のパケットを、各々前記通信チャネルにおける利用可能なパスのサブセットを介して並列に送信することにより、各パケットが同一の組のパスを介して送信される既知のシステムと比較して、改善された性能が可能となる。これは、上記パスのうちの劣った品質の無線リンクを形成するものの影響が、送信されるパケットのサブセットが限定されるからである。
【００１１】
本発明の第２態様によれば、複数のアンテナを備える一次局であって、該一次局と少なくとも１つのアンテナを備える二次局との間に複数のパスを持つような通信チャネルを有する無線通信システムに使用するための一次局において、前記二次局に複数のデータパケットを各パケットが前記複数のパスのうちの異なるサブセットを介して送信されるようにして略同時に送信すると共に、前記二次局から前記各パケットが正しく受信されたかについての判定を受信する手段が設けられているような一次局が提供される。
【００１２】
本発明の一実施例においては、前記各データパケットを前記一次局のアンテナのうちの１つにマッピングすることにより、各データパケットは上記の利用可能なパスのうちのサブセットに限定される。他の実施例では、各データパケットを特定の方向に送信するためにビーム形成技術が使用される。パスの１つのサブセットを介して送信されるデータパケットは、異なる送信パラメータ（例えば変調及び／又は符号化方法並びに出力（ｐｏｗｅｒ）レベル等）を有することができる。パスの各サブセットに対しては、閉ループ出力制御を独立して適用することができる。
【００１３】
本発明の第３の態様によれば、少なくとも１つのアンテナを備える二次局であって、複数のアンテナを備える一次局と該二次局との間に複数のパスを持つような通信チャネルを有する無線通信システムに使用するための二次局において、前記一次局により各パケットが前記複数のパスのうちの異なるサブセットを介して送信されるようにして略同時に送信された複数のデータパケットを受信すると共に、前記各パケットが正しく受信されたかを判定し、且つ、この判定を前記複数のパケットの各々に関して前記一次局に通知する手段が設けられているような二次局が提供される。
【００１４】
前記二次局は、各パケットが正しく受信されたかについての自身の判断を上記一次局に対して、利用可能なアップリンクパスのサブセットを介して又は何らかの他の適切な方法で通知することができる。
【００１５】
本発明の第４の態様によれば、複数のアンテナを備える一次局と少なくとも１つのアンテナを備える二次局との間に複数のパスを持つ通信チャネルを有するような無線通信システムを動作させる方法において、前記一次局は前記二次局に複数のデータパケットを略同時に送信し、前記パケットの各々は前記複数のパスのうちの異なるサブセットを介して送信され、前記二次局は、前記複数のデータパケットを受信すると共に前記パケットの各々が正しく受信されたかを判定し、且つ、前記複数のパケットの各々に関して該判定を前記一次局に通知するような方法が提供される。
【００１６】
本発明は、パケットデータの伝送に使用されるＭＩＭＯシステムにおける改善された性能を、データパケットを利用可能なパスのうちの異なるサブセットにより並列に送信することにより得ることができるという、従来技術に無い認識に基づくものである。
【００１７】
【発明の実施の形態】
以下、本発明の実施例を、添付図面を参照して例示的に説明する。尚、図面において同一の符号は対応する特徴を示すために使用されている。
【００１８】
図１は、一次局１００から二次局１１０へのダウンリンクパケットデータの送信のためのＭＩＭＯシステムの一例を示している。一次局１００はデータ源１０２を有し、該データ源は二次局１１０への送信のためのデータストリームを供給する。このストリームは直列並列変換器（Ｓ／Ｐ）１０４により分割されて、送信機（ＴＸ）１０６に供給される複数のデータ副ストリームを発生する。送信機１０６は、基地局（ＢＳ）１００から移動局（ＭＳ）１１０への送信のために、上記データ副ストリームが複数のアンテナ１０８（図１では、符号１、２、３及び４が付されている）に送られるようにする。アンテナ１０８は略全方向的である（又はセクタ化されたセルをカバーするように設計されている）と仮定する。
【００１９】
多重化の前にＢＳ１００により適切な符号化（典型的には、フォワードエラー訂正（ＦＥＣ）を含む）が適用される。これは、垂直符号化として知られており、符号化が全副ストリームにわたって適用されるという利点を有している。しかしながら、上記副ストリームを抽出することに問題が生じる。何故なら、連動復号が必要であり、各副ストリームを個別に抽出することが困難であるからである。他の例として、各副ストリームを別個に符号化することもできる。これは、受信機の処理を単純化することができる水平符号化として知られている技術である。これらの技術は、例えば、２０００年の１１月２７日〜１２月１日にサンフランシスコで開催されたＩＥＥＥグローブコム２０００会議の会議録におけるＸ． Ｌｉ他による論文“反復検出及び復号のＢＬＡＳＴの性能に対する影響”で議論されている。
【００２０】
垂直符号化が使用される場合、適用されるＦＥＣは、複数のパスを有する全体のＭＩＭＯチャネルに対処するために充分なエラー訂正能力を有していなければならない。ＢＳ１００とＭＳ１１０との間のパスの組が典型的には直接パスと間接パスとを含むことが分かり、後者は信号が１以上の散乱体により反射される場合である。
【００２１】
ＭＳ１１０は複数のアンテナ１１８（図１では、符号Ａ、Ｂ、Ｃ及びＤが付されている）を有している。アンテナ１１８により受信された信号は受信機（ＲＸ）１１６に供給され、該受信機は上記の受信された信号から複数の送信されたデータ副ストリームを抽出する。ついで、これらデータ副ストリームは並列直列変換器（Ｐ／Ｓ）１１４により再合成され、データ出力ブロック１１２に供給される。ＢＳ１００及びＭＳ１１０は同数のアンテナを有するように示されているが、これは実際には必要ではなく、アンテナの数はスペース及び容量の制約に応じて最適化することができる。
【００２２】
ＢＳ１００の最も単純な構成では、各データ副ストリームが別個のアンテナ１０８にマップされる。このような構成は、空間的に相関の無線チャネルに対して適している。適切なＢＳ１００が図２に示されるような一般的な場合においては、各データ副ストリームは複合加重２０２を付与した（各データ副ストリームに対しアンテナ１０８毎に１つの加重値）後に各アンテナ１０８に送ることができる。この方法は、各データ副ストリームを異なるアンテナビームにマップするために使用することができる。アンテナビームは所定の方向を狙うことができるか、又は、方向は変化する無線チャネル条件を利用して動的に決定することもできる。動的に変化するビーム方向を持つＭＩＭＯシステムの一例は、出願人の同時係属中の未公開英国特許出願第０１０２３１６．７号（出願人整理番号：ＰＨＧＢ０１００１２）に開示されている。興味ある特別なケースは、各データストリームがアンテナのサブセットにマップされる（即ち、幾つかのウェイトが零である）場合である。
【００２３】
簡略化のために、以下の実施例はデータ副ストリームとアンテナ１０８との間の１対１のマッピングの最も単純な場合を使用するが、本発明が斯様な筋書きに限定されるものではないことは明らかである。
【００２４】
パケットデータ伝送システムにおいては、ＡＲＱは如何なるエラーパケットをも訂正するために使用することができる。既知の態様で動作するＡＲＱ方法の一例が図３に示されている。Ｐｎ（ｎは連続番号）として示すデータパケット３０２は、ＢＳ１００からＭＳ１１０へダウンリンク（ＤＬ）チャネル上で順に送信される。図示された筋書きにおいては、第１データパケットＰ１はＭＳ１１０により正しく受信され、該ＭＳ１１０はアップリンクチャネル（ＵＬ）上で肯定確認応答（Ａ１）３０４を送信する。ＢＳ１００によるＡ１の受信に応答して、送信待ちの次のパケット、Ｐ２、が選択されて、ＭＳ１１０に送信される。しかしながら、このパケットはＭＳ１１０により正しく受信されず、該ＭＳ１１０は否定確認応答（Ｎ２）３０６を送出する。これに応答して、ＢＳ１００はパケットＰ２を送信する。
【００２５】
否定確認応答３０６に対しては、データパケット３０２の単純な再送信の代わりに他の技術を用いることもできる。斯様な技術の一例は増加的冗長を用いたＡＲＱであり、その場合、パケットに関連する再送信は元々送信されたパケットとは同一ではなく、追加の冗長情報を含む。他の技術の使用によりデータスループットを上昇させることもでき、斯かる技術の一例はｎチャネル停止−待ちＡＲＱである。この方法は図３に示した基本方法における大きな時間間隙を利用して、何れかが肯定確認応答される前に、ｎ個までのパケットの送信を許可する。従来の停止−待ちＡＲＱ方法（図３に示すもののような）を超える利点は、１つのパケットが正しく受信されなかった場合に、エラーを伴って受信された該パケットの再送信と並行して更なるパケットを他のチャネル上で送り続けることができる点にある。斯様な方法は、出願人の同時係属中の未公開英国特許出願第０１０４８３０．５号（出願人整理番号：ＰＨＧＢ０１００２８）に開示されているように、ＭＳ１１０が複数のＢＳ１００とデータリンクを有する場合にも使用することができる。
【００２６】
本発明により動作するＭＩＭＯパケットデータ送信方法の単純な実施例が図４に示されている。この実施例では、各データ副ストリームは別個のＡＲＱチャネルに割り当てられ、ＢＳ１００及びＭＳ１１０は２つのアンテナ１０８及び１１８を各々有している。図示の例では、ＢＳ１００は、２つのパケット３０２、即ちＰ１及びＰ２を、各アンテナ１０８から送信される各々のダウンリンクデータ副ストリームＤＬ１及びＤＬ２の一部として送信する。これらパケット３０２は略同時に送信される。これは、ＣＤＭＡ（符号分割多重アクセス）システムにおいては同一のチャネライゼーションコード及びスクランブルコードを用いて実行することができる。
【００２７】
ＭＳ１１０はパケットＰ１のみを正しく受信し、従って、肯定確認応答（Ａ１）３０４及び否定確認応答（Ｎ２）３０６を、各アンテナ１１８から送信される各々のアップリンクデータ副ストリームＵＬ１及びＵＬ２の一部として送信する。これら肯定及び否定確認応答Ａ１及びＮ２は、同一のチャネライゼーション及びスクランブルコードを用いて略同時に送信される。これに応答して、ＢＳ１００は、副ストリームＤＬ１を介して次のパケットＰ３を送信し、副ストリームＤＬ２を介してパケットＰ２を再送信する。今度は、ＭＳ１１０はパケットＰ２のみを正しく受信し、従って、各アップリンク副ストリームＵＬ１及びＵＬ２を介して否定及び肯定確認応答Ｎ３及びＡ２を送出する。結果として、ＢＳ１００は副ストリームＤＬ１を介してパケットＰ３を再送信し、副ストリームＤＬ２を介して次のパケットＰ４を送信する。
【００２８】
通常の場合、確認応答３０４、３０６の送信に関しては、単一チャネル上の時間多重又は異なるチャネルを介しての同時送信を含むような殆ど如何なるメカニズムも使用することができる。アップリンクの送信方法及び無線チャネルは、ダウンリンク上で使用されるものと相違させることもできる。最も重要な要件は、確認応答がＢＳ１００により、該ＢＳが再送信パケット又は新たなパケット３０２の何れを送るかを判定するのに間に合うように受信されるということである。
【００２９】
ＢＳ１００及び／又はＭＳ１１０は、間違って受信されたパケット３０２を利用して悪い無線チャネル（即ち、悪いアンテナ１０８又は悪いアンテナビーム）を識別し、斯様なアンテナ又はビームを避けることにより性能を最適化するのを可能にすることもできる。
【００３０】
この実施例の変形例が図５に示され、該変形例においては、ＭＳ１１０により正しく受信されなかったパケット３０２の再送信が別の副ストリームを介して行われる。これは、障害が特定の副ストリームを介しての何れのパケット３０２の成功裏の受信も妨害するような場合に、１つのパケットが大幅に遅延するのを防止する。図示の例においては、同一のパケット３０２が送信されるが、図４と比較して、パケットＰ３の送信とパケットＰ２の再送信とが逆にされている。
【００３１】
無線回線品質は各副ストリームに対して相違し得るので、各副ストリームに対するデータは、異なる品質要件を持つ異なるデータ源から導出することができる。各副ストリームに適用されるＦＥＣのレベルは、出願人の同時継続中の未公開国際特許出願第ＰＣＴ／ＥＰ０１／１３６９０号（出願人整理番号：ＰＨＧＢ０００１６８）に開示されているように、オプション的に無線回線の品質に依存して変化させることができる。更に、異なる副ストリームに対しては変調及び符号化方法（ＭＣＳ）の異なる選択をなすことができ、副ストリームは異なるチャネル条件に応じて異なる出力レベルで送信することができる。
【００３２】
上記実施例の他の変形例においては、各アンテナ１０８からの送信に対しては（例えば、専用のチャネルを使用して）別個の閉ループ出力制御を適用することができる。斯様な方法は、出願人の同時係属中の未公開国際特許出願第ＰＣＴ／ＩＢ０１／０２５５５号（出願人整理番号：ＰＨＧＢ０１００２２）に開示されているように、最適なアンテナ１０８の選択及び適切なＭＣＳの選択を助けることができる。
【００３３】
図６に示す本発明の他の実施例においては、異なる副ストリームを異なる端末１１０ａ、１１０ｂに送ることができる。図示の例では、ＢＳ１００は２つのデータ源１０２（Ｄ１及びＤ２）を有し、各々は異なるＭＳ１１０に対するものである。第１ＭＳ１１０ａに対するものであるデータ源Ｄ１からのデータは、直列並列変換器１０４（Ｓ１）により２つの副ストリームに分割され、送信機（ＴＸ）１０６に供給される。これら２つのデータ副ストリームは符号１及び２を付されたアンテナを介して送信される。同様に、第２ＭＳ１１０ｂに対するものであるデータ源Ｄ２からのデータは、直列並列変換器１０４（Ｓ２）により２つの副ストリームに分割され、送信機１０６に供給される。これら２つのデータ副ストリームは符号３及び４を付されたアンテナ１０８を介して送信される。この方法はアンテナビームが各ＭＳ１１０ａ、１１０ｂに対して向けられていることを要さない（もっとも、これは実施しても良い）ことに注意すべきである。
【００３４】
図１又は図６に示すもののような筋書きにおいて、ＭＩＭＯを使用すると、所与のチャネライゼーションコードを持つ如何なるデータを受信する各ＭＳ１１０も、通常、異なるデータ副ストリームの各々を分離し、多分、何れの不所望なものを破棄するために充分なアンテナ１１８又は他の手段を有さねばならない。既知のＭＩＭＯシステムにおいては、これは少なくともＭ個のアンテナを要し、ここで、Ｍは当該チャネライゼーションコードを伴って送信される独立したデータ副ストリームの数である。
【００３５】
ダウンリンクリソース（チャネライゼーションコード及び出力）の使用をスケジュールする良好な性能を得るために、ダウンリンクチャネルの品質が各々の可能性のある無線回線に関してＢＳ１００において分かることが望ましい。これは、各副ストリームに関して直接通知されるか、又は何らかの他の方法により（例えば、閉ループ出力制御又はアンテナダイバーシティ用の帰還信号の使用により）決定される。また、各ＭＳ１１０におけるアンテナの数又は複数データストリームを処理する能力が、ＢＳ１００により分かることも重要である。これは、登録処理の一部として通知されることができ、該処理においてＭＳ１１０はＢＳ１００に自身の能力を通知する。
【００３６】
図７は、本発明による方法の、ＨＳＤＰＡに対する１つの可能性のある適用例を示すフローチャートである。該方法は下記のステップを有する。
７０２．ＭＳ１１０はＢＳ１００における各アンテナ１０８からのパイロット信号を使用して、各アンテナ対に関する伝達関数を決定する。
７０４．ＢＳ１００は、各ＭＳ１１０から、ＢＳ１００とＭＳ１１０とにおけるアンテナ１０８、１１８の各対の間のチャネル伝達関数に関する情報を受信する。
７０６．ＢＳ１００は、各アンテナ対に関して達成可能なＳＩＲを推定する（オプション的に、閉ループ出力制御からのような他の情報を使用する）。
７０８．ＳＩＲ情報に基づいて、ＢＳ１００は移動体１１０に対するデータパケットの送信をスケジュールする、即ち、各パケット３０２に対する変調、符号化法、チャネライゼーションコード（又は複数のコード）及びアンテナ１０８を選択する。典型的には、利用可能なチャネライゼーションコードの数、及びアンテナ１０８当たりの最大出力電力により課される制約が存在するであろう。
７１０．各ＭＳ１１０は、正しく受信されたパケット３０２に対して肯定確認応答（ＡＣＫ）３０４を、誤って受信されたパケット３０２に対して否定確認応答（ＮＡＫ）３０６を送出する。
７１２．誤ったパケット３０２は、ＢＳ１００により再送信をスケジュールされる（再送信の正確な内容は、使用されているＡＲＱ方法に従い決定される）。
【００３７】
上記ステップ７０８におけるスケジュールに対しては、例えば、パケットがＢＳ１００により受信された順序で送出される、又は優先度がデータを高いＳＩＲを持つ無線回線上で送出することに与えられる等の、一連の可能性のある代替例が存在する。ビーム形成を採用する実施例においては、アンテナビームを特定の方向に向けるために、ＢＳ１００においてチャネルに関する一層詳細な情報が必要である（正しいアンテナ加重２０２が使用されるのを可能にするために）。この情報は、ＭＳ１１０から通知されることが必要であるかも知れない。どのアンテナ送信（又はビーム）が、そのためのデータを含んでいるか、どれが不所望な妨害だとして拒絶されるべきかを示すために、ＭＳ１１０への通知も必要となるかも知れない。
【００３８】
本発明は、移動体無線（例えば、ＵＭＴＳ）、コードレス及びＷＬＡＮシステムに適用することができる。本発明は、特にＨＳＤＰＡ思想に適しているが、これに限定されるものではない。上述した説明はＵＭＴＳ周波数分割デュープレックス（ＦＤＤ）モード関するものである。本発明は、時分割復信（ＴＤＤ）システムにも適用することができる。この場合、アップリンク及びダウンリンクチャネルが同一の周波数で異なるタイムスロット（即ち、往復（ｒｅｃｉｐｒｏｃａｌ）チャネル）を使用するという事実は、チャネル情報を通知する必要性を低下させることができる。
【００３９】
また、本発明はＣＤＭＡにも特に適用可能であり、その場合、ＢＳ１００はチャネル推定を容易化するために典型的にはパイロット情報を供給する。ＣＤＭＡの場合には、複数のデータストリームを異なる拡散コード又は時間的にオフセットされた同一の拡散コードで送出することについての可能性は既に分かっている。これらの技術は本発明と共に使用することができ、その場合、２以上のデータストリームが同一の拡散コードを有する。
【００４０】
上記説明においては、用語“一次局”又は“二次局”は、実際には固定のインフラストラクチャの種々の部分の間に分散することができるような主体に関するものである。ＵＭＴＳシステムにおいては、例えば、ＢＳ１００の機能は“ノードＢ”において実行され（ＭＳ１１０と直接インターフェースする固定のインフラストラクチャの一部である）、より高いレベルでは無線ネットワークコントローラ（ＲＮＣ）において実行される。ＢＳ１００からＭＳ１１０へのデータパケットの送信における使用と同様に、上述した技術は逆方向におけるパケット送信に対しても使用することができる。この場合、ＢＳ１００及びＭＳ１１０の役割は上述した説明におけるのと逆とされ、ＢＳ１００が二次局の役割を採用すると共に、ＭＳ１１０は一次局の役割を採用する。
【００４１】
本開示を読むことにより、当業者にとっては他の変形例が明らかとなるであろう。斯様な変形例は、無線通信システム及び斯かるシステムの構成部品の設計、製造及び使用において既知であると共に、ここに既述した特徴に代えて又は斯かる特徴に加えて使用することができるような他の特徴を含むことができる。
【００４２】
本明細書及び請求項において、単数形の構成要素は複数の斯様な構成要素の存在を排除するものではない。また、“有する”なる文言は記載されたもの以外の他の構成要素又はステップの存在を排除するものではない。
【図面の簡単な説明】
【図１】ＭＩＭＯ無線システムの一実施例のブロック概念図である。
【図２】図２は、ＭＩＭＯ無線システム用の基地局の一実施例のブロック概念図で、該システムは送信前に副ストリーム信号に加重する。
【図３】図３は、従来のＡＲＱ方法の動作を示す概念図である。
【図４】図４は、本発明によるＡＲＱ方法の第１実施例の動作を示す概念図である。
【図５】図５は、本発明によるＡＲＱ方法の第２実施例の動作を示す概念図である。
【図６】図６は、ＭＩＭＯ無線システムの一実施例のブロック概念図で、該システムにおいては異なる副ストリームが異なる端末に向けられている。
【図７】図７は、本発明により形成されるＭＩＭＯ無線システムの動作を示すフローチャートである。
【図７】
2004520750.tif 000003
【国際公開パンフレット】
2004520750.tif 000004
2004520750.tif 000005
2004520750.tif 000006
2004520750.tif 000007
2004520750.tif 000008
2004520750.tif 000009
2004520750.tif 000010
2004520750.tif 000011
2004520750.tif 000012
2004520750.tif 000013
2004520750.tif 000014
2004520750.tif 000015
2004520750.tif 000016
2004520750.tif 000017
2004520750.tif 000018
2004520750.tif 000019
2004520750.tif 000020
2004520750.tif 000021
2004520750.tif 000022
【国際調査報告】
2004520750.tif 000023
2004520750.tif 000024
2004520750.tif 000025